(57)【特許請求の範囲】
【請求項１】
複数のコモン電極及びセグメント電極を有する液晶表示パネルのコモン電極を駆動する液晶表示駆動回路であって、
前記複数のコモン電極に対応して設けられ、前段からの出力信号を同期信号に同期して保持する信号保持回路をそれぞれ有し、保持した信号を対応するコモン電極にコモン駆動信号として出力すると共に後段に出力する如く多段接続されて全体でシフトレジスタ回路を構成する複数のコモン電極駆動回路を備え、
前記複数のコモン電極駆動回路のうち初段及び所定の段数置き毎の特定のコモン電極駆動回路のそれぞれには表示エリアスタートラインを設定する制御回路が上記信号保持回路の前段に付加されており、
上記制御回路は、
上記液晶表示パネルの表示範囲に応じて周期が変化する入力信号が共通に入力される第１の入力ノードと、
表示を開始するコモン電極駆動回路では第１のレベルにされ、それ以外のコモン電極駆動回路では第２のレベルにされる表示開始制御信号が入力される第２の入力ノードと、
初段のコモン電極駆動回路では接地電位に対応したレベルの信号が入力され、それ以外のコモン電極駆動回路では前段のコモン電極駆動回路からの出力信号が入力される第３のノードと、
上記第１の入力ノードに入力される上記入力信号が供給されるインバータ回路と、
上記インバータ回路からの出力信号が入力され、上記第２の入力ノードに入力される上記表示開始制御信号が第１のレベルのときに動作して上記インバータ回路からの出力信号を反転して上記信号保持回路に供給する第１のクロックドインバータ回路と、
上記インバータ回路の出力信号及び上記第３のノードに入力される信号が供給されるＮＡＮＤ回路と、
上記ＮＡＮＤ回路からの出力信号が入力され、上記第２の入力ノードに入力される上記表示開始制御信号が第２のレベルのときに動作して上記ＮＡＮＤ回路からの出力信号を反転して上記信号保持回路に供給する第２のクロックドインバータ回路とを有することを特徴する液晶表示駆動回路。
【発明の詳細な説明】
【０００１】
【発明の属する技術分野】
この発明は、複数のコモン電極及びセグメント電極を有する液晶表示パネルのコモン電極を駆動する液晶表示駆動回路に係り、特に液晶表示パネルの表示領域の一部領域でのみ表示を行うパーシャル表示機能を有する液晶表示駆動回路に関する。
【０００２】
【従来の技術】
通常、液晶表示装置では、図１のブロック図に示すように、液晶表示パネル１１のコモン電極（ＣＯＭ）がコモンドライバー１２により駆動され、セグメント電極（ＳＥＧ）がセグメントドライバー１３により駆動される。
【０００３】
また、最近の液晶表示装置では、特定の使用状況に応じて表示領域の一部領域のみを表示することにより低消費電力化を達成するパーシャル表示機能というものがある。このパーシャル表示機能とは、セグメント電極の数が例えばＸ、コモン電極の数が例えばＹの液晶表示パネルにおいて、コモン電極ＣＯＭｊ〜ＣＯＭＪ＋α（ただし、ｊはエリアスタートライン、αはエリアサイズ）の範囲のみ表示を行い、それ以外の領域は非表示となる機能である。パーシャル表示時には、図示しないデータバスに機能コマンドが入力され、パーシャルスタートラインとパーシャルエリアサイズとが設定される。
【０００４】
図２は、パーシャル表示機能に対応していない一般的なコモンドライバーの回路構成を示している。このコモンドライバーにはそれぞれ信号保持回路からなる複数のコモン電極駆動回路１４が設けられている。これら複数の各コモン電極駆動回路１４は、入力ノードｉに供給される前段のコモン電極駆動回路１４からの出力をクロック信号に同期して保持し、出力ノードｃｏから対応するコモン電極ＣＯＭにコモン駆動信号として出力すると共に出力ノードｏから次段のコモン電極駆動回路１４に出力する如く多段接続されて全体でシフトレジスタ回路を構成している。
【０００５】
そして、初段のコモン電極駆動回路１４に入力信号Ｅｉｎが供給されることにより、この信号が複数のコモン電極駆動回路１４によって順次シフトされ、各コモン電極駆動回路１４で保持された信号に応じて複数のコモン電極ＣＯＭ１…ＣＯＭ３…ＣＯＭｋ，ＣＯＭｋ＋１，…ＣＯＭｘが順次駆動される。なお、最終段のコモン電極駆動回路１４の出力ノードｏからの信号Ｅｏｕｔは、液晶表示パネルを複数個用いてより大きな画面で表示を行う場合に、別の液晶表示パネルのコモン電極を駆動するコモンドライバーに対して入力信号Ｅｉｎとして供給される。
【０００６】
ところで、図２に示したようなコモンドライバーは、そのままではパーシャル表示を行うことができない。そこで、従来では、パーシャルエリアのスタートラインとエリアエンドラインに該当するコモン電極駆動回路１４内に制御回路を追加することによってパーシャル表示機能に対応させている。
【０００７】
【発明が解決しようとする課題】
しかし、従来のようにパーシャルエリアのスタートラインとエリアエンドラインに該当する両方のコモン電極駆動回路１４に制御回路を追加するものでは、パーシャルエリアのスタートラインとエリアサイズが可変であると、それに伴って追加する回路量及び配線量が増加するので、チップ・トータルの回路が大規模になるという不都合がある。
【０００８】
この発明は上記のような事情を考慮してなされたものであり、その目的は、パーシャルエリアのスタートラインとエリアサイズが可変であっても、回路量がそれ程増加せず、従って従来よりもチップ・トータルの回路規模を小さくすることができる液晶表示駆動回路を提供することである。
【０００９】
【課題を解決するための手段】
この発明の液晶表示駆動回路は、複数のコモン電極及びセグメント電極を有する液晶表示パネルのコモン電極を駆動する液晶表示駆動回路であって、前記複数のコモン電極に対応して設けられ、前段からの出力信号を同期信号に同期して保持する信号保持回路をそれぞれ有し、保持した信号を対応するコモン電極にコモン駆動信号として出力すると共に後段に出力する如く多段接続されて全体でシフトレジスタ回路を構成する複数のコモン電極駆動回路を備え、前記複数のコモン電極駆動回路のうち初段及び所定の段数置き毎の特定のコモン電極駆動回路のそれぞれには表示エリアスタートラインを設定する制御回路が上記信号保持回路の前段に付加されており、上記制御回路は、上記液晶表示パネルの表示範囲に応じて周期が変化する入力信号が共通に入力される第１の入力ノードと、表示を開始するコモン電極駆動回路では第１のレベルにされ、それ以外のコモン電極駆動回路では第２のレベルにされる表示開始制御信号が入力される第２の入力ノードと、初段のコモン電極駆動回路では接地電位に対応したレベルの信号が入力され、それ以外のコモン電極駆動回路では前段のコモン電極駆動回路からの出力信号が入力される第３のノードと、上記第１の入力ノードに入力される上記入力信号が供給されるインバータ回路と、上記インバータ回路からの出力信号が入力され、上記第２の入力ノードに入力される上記表示開始制御信号が第１のレベルのときに動作して上記インバータ回路からの出力信号を反転して上記信号保持回路に供給する第１のクロックドインバータ回路と、上記インバータ回路の出力信号及び上記第３のノードに入力される信号が供給されるＮＡＮＤ回路と、上記ＮＡＮＤ回路からの出力信号が入力され、上記第２の入力ノードに入力される上記表示開始制御信号が第２のレベルのときに動作して上記ＮＡＮＤ回路からの出力信号を反転して上記信号保持回路に供給する第２のクロックドインバータ回路とを有することを特徴する。
【００１０】
【発明の実施の形態】
以下、図面を参照してこの発明の実施の形態を詳細に説明する。
【００１１】
図３は、この発明における前記図１中のコモンドライバー１２の構成を示している。このコモンドライバーにはそれぞれ信号保持回路を有する複数のコモン電極駆動回路２１−１〜２１−ｘが設けられており、これら複数のコモン電極駆動回路２１−１〜２１−ｘは前段の出力ノードｏを後段の入力ノードｉに接続する如く多段接続され、全体でシフトレジスタ回路を構成している。なお、初段のコモン電極駆動回路２１−１の入力ノードｉは接地電位に接続されており、この入力ノードｉには接地電位に対応した“Ｌ”レベルが常時入力されている。
【００１２】
また、上記複数のコモン電極駆動回路２１−１〜２１−ｘのうち初段のコモン電極駆動回路２１−１及び所定の段数置き（本例ではｋ−１段置き）毎の特定のコモン電極駆動回路２１−ｋ，…のそれぞれには、エリアスタートラインを設定するための制御回路が信号保持回路の他に追加されている。なお、これら特定のコモン電極駆動回路２１−１，２１−ｋ，…には先の入力ノードｉの他に入力ノードｃ及びｃｋとが設けられており、入力ノードｃには入力信号Ｅｉｎが供給され、入力ノードｃｋには複数の表示開始制御信号ＡＲ１…ＡＲｍのうち対応する信号が供給される。
【００１３】
図４は、エリアスタートラインを設定するための制御回路が追加された特定のコモン電極駆動回路２１−１，２１−ｋ，…の詳細な回路構成を示している。
【００１４】
入力ノードｉから入力される“Ｌ”レベルの信号もしくは前段のコモン電極駆動回路からの出力信号はＮＡＮＤ回路２２に供給される。また、入力ノードｃからの入力信号Ｅｉｎはインバータ回路２３によって反転される。このインバータ回路２３の出力信号ｃ１は上記ＮＡＮＤ回路２２及びクロックドインバータ回路２４に供給される。また、上記ＮＡＮＤ回路２２の出力信号ノードｃ２はクロックドインバータ回路２５に供給される。上記両クロックドインバータ回路２４、２５には、入力ノードｃｋから入力される表示開始制御信号ＡＲ１…ＡＲｍ及びその信号をインバータ回路２６で反転した信号からなる相補な制御信号ｃｋ，ｂｃｋが供給され、これら制御信号ｃｋ，ｂｃｋによって両クロックドインバータ回路２４、２５の動作が制御される。
【００１５】
また、上記両クロックドインバータ回路２４、２５の出力ノードは共通に接続されており、この共通接続ノードの信号ｃ３が信号保持回路２７に入力される。この信号保持回路２７はクロック信号ＣＬＫの例えば立ち上がりに同期して入力信号ｃ３を保持し、保持した信号を出力ノードｃｏを介して対応するコモン電極に出力すると共に出力ノードｏから次段のコモン電極駆動回路に出力する。
【００１６】
なお、上記特定のコモン電極駆動回路２１−１，２１−ｋ，…以外のコモン電極駆動回路、例えば２段目や３段目のコモン電極駆動回路２１−２，２１−３等では上記信号保持回路２７のみが設けられており、これら各信号保持回路２７の入力ノードが先の入力ノードｉに対応している。
【００１７】
次に上記構成でなる回路の動作を説明する。
【００１８】
まず、パーシャル表示機能を使用しない、すなわち全表示時の動作について、図５のタイミングチャートを参照して説明する。
【００１９】
全表示時には、表示開始制御信号ＡＲ１のみを“Ｈ”レベルにし、それ以外の表示開始制御信号は全て“Ｌ”レベルにする。表示開始制御信号ＡＲ１が“Ｈ”レベルなので、初段のコモン電極駆動回路２１−１内では制御信号ｃｋが“Ｈ”レベル、ｂｃｋが“Ｌ”レベルとなり、クロックドインバータ回路２４がオンし、クロックドインバータ回路２５はオフする。このとき、入力ノードｃから入力信号Ｅｉｎの“Ｈ”レベルのパルス信号が入力されると、インバータ回路２３及びクロックドインバータ回路２４で順次反転され、信号保持回路２７に入力される。そして、信号ｃ３がクロック信号ＣＫＬの立ち上がりに同期して信号保持回路２７で保持され、対応するコモン電極ＣＯＭ１に出力されると共に出力ノードｏを介して次段のコモン電極駆動回路２１−２に出力される。
【００２０】
次段以降の特定のコモン電極駆動回路ではない各コモン電極駆動回路２１−２，…では、クロック信号ＣＫＬの立ち上がりに同期して入力ノードｉの信号が信号保持回路２７で保持され、対応するコモン電極に出力されると共に出力ノードｏを介して次段のコモン電極駆動回路へ出力される。
【００２１】
一方、初段以外の特定のコモン電極駆動回路２１−ｋ，…内では、表示開始制御信号ＡＲ２…ＡＲｍが“Ｌ”レベルなので、制御信号ｃｋが“Ｌ”レベル、ｂｃｋが“Ｈ”レベルとなり、クロックドインバータ回路２５がオンし、クロックドインバータ回路２４がオフする。このとき、入力ノードｃから入力される入力信号Ｅｉｎが“Ｌ”レベルであれば、インバータ回路２３の出力信号ｃ１が“Ｈ”レベルとなり、この期間に前段からの信号がＮＡＮＤ回路２２及びクロックドインバータ回路２５で順次反転され、信号保持回路２７に入力される。
【００２２】
従って、初段のコモン電極駆動回路２１−１から入力された入力信号Ｅｉｎの“Ｈ”レベルのパルス信号は、全てのコモン電極駆動回路２１−１〜２１−ｘによって構成されるシフトレジスタ回路によって順次シフトされ、これによりコモン電極ＣＯＭ１〜ＣＯＭｘは、図５に示すように、位相が順次シフトした駆動信号により順次駆動され、全てのコモン電極ＣＯＭ１〜ＣＯＭｘの範囲で表示が行われる。
【００２３】
そして、全てのコモン電極ＣＯＭ１〜ＣＯＭｘが駆動された後に入力信号Ｅｉｎが再び“Ｈ”レベルに立ち上がると、再度、シフトレジスタ回路によって“Ｈ”レベルの信号がシフトされ、再度表示が行われる。以下、このような動作が繰り返し行われる。
【００２４】
このように、表示開始制御信号ＡＲ１のみを“Ｈ”レベルにし、それ以外の表示開始制御信号を全て“Ｌ”レベルにすることによって全表示を行うことができる。
【００２５】
次に、パーシャル表示時の動作を説明する。ここで、例えば、エリアスタートラインがコモン電極ＣＯＭｋであるとすると、表示開始制御信号ＡＲｍのみを“Ｈ”レベルにし、それ以外の表示開始制御信号は全て“Ｌ”レベルにする。
【００２６】
初段のコモン電極駆動回路２１−１についてみると、表示開始制御信号ＡＲ１が“Ｌ”レベルなので、制御信号ｃｋが“Ｌ”レベル、ｂｃｋが“Ｈ”レベルとなり、クロックドインバータ回路２５がオンし、クロックドインバータ回路２４がオフする。このとき、その入力ノードｉには“Ｌ”レベルの信号が供給されているので、ＮＡＮＤ回路２２の出力信号ｃ２は常時“Ｈ”レベルとなり、クロックドインバータ回路２５の出力信号ｃ２は常時“Ｌ”レベルとなる。
【００２７】
従って、コモン電極ＣＯＭｋに対応したコモン電極駆動回路２１−ｋよりも前段の各コモン電極駆動回路では“Ｌ”レベルの信号が順次シフトされ、コモン電極ＣＯＭ１〜ＣＯＭ（ｋ−１）は、図６に示すように“Ｌ”レベルのままであり、これらのコモン電極ＣＯＭ１〜ＣＯＭ（ｋ−１）では表示が行われない。
【００２８】
一方、コモン電極ＣＯＭｋに対応したコモン電極駆動回路２１−ｋでは、表示開始制御信号ＡＲｍが“Ｈ”レベルなので、制御信号ｃｋが“Ｈ”レベル、ｂｃｋが“Ｌ”レベルとなり、クロックドインバータ回路２４がオンし、クロックドインバータ回路２５はオフする。
【００２９】
この場合、入力ノードｃから入力信号Ｅｉｎの“Ｈ”レベルのパルス信号が入力されると、インバータ回路２３及びクロックドインバータ回路２４で順次反転されて信号保持回路２７に入力される。そして、信号ｃ３がクロック信号ＣＬＫの立ち上がりに同期して信号保持回路２７で保持され、対応するコモン電極ＣＯＭｋに出力されると共に出力ノードｏを介して次段のコモン電極駆動回路２１−（ｋ＋１）に出力される。
【００３０】
（ｋ＋１）段以降の特定のコモン電極駆動回路ではない各コモン電極駆動回路２１−（ｋ＋１），…では、クロック信号ＣＫＬの立ち上がりに同期して入力ノードｉの“Ｈ”レベルの信号が信号保持回路２７で保持され、対応するコモン電極に出力されると共に出力ノードｏを介して次段のコモン電極駆動回路へ出力される。従って、コモン電極ＣＯＭｋ以降のコモン電極は“Ｈ”レベルの駆動信号によって順次駆動される。
【００３１】
一方、（ｋ＋１）段よりも後段の特定のコモン電極駆動回路２１−（ｋ＋ｎ＋１）内では、表示開始制御信号が“Ｌ”レベルなので、制御信号ｃｋが“Ｌ”レベル、ｂｃｋが“Ｈ”レベルとなり、クロックドインバータ回路２５がオンし、クロックドインバータ回路２４がオフする。
【００３２】
この場合、図７のタイミングチャートに示すように、前段のコモン電極駆動回路からシフトされてきた入力ノードｉの信号と入力ノードｃから入力される信号ＥｉｎとがＮＡＮＤ回路２２によって論理がとられ、両信号が共に“Ｈ”レベルのときにその出力信号ｃ２が“Ｌ”レベル、クロックドインバータ回路２５の出力信号ｃ３は“Ｈ”レベルになる。
【００３３】
ここで、入力信号Ｅｉｎと、シフトされた入力ノードｉの信号とはクロックパルスＣＬＫの半パルス分位相がずれており、信号保持回路２７はクロックパルスＣＬＫの立ち上がりに同期して入力信号を保持するので、前段からの保持信号はクロックパルスＣＬＫの立ち上がりに対してわずかに遅延している。従って、このコモン電極駆動回路２１−（ｋ＋ｎ＋１）内の信号保持回路２７では“Ｌ”レベルの信号が保持され、このコモン電極駆動回路２１−（ｋ＋ｎ＋１）以降のコモン電極駆動回路からは“Ｌ”レベルの信号が各コモン電極に出力される。
【００３４】
すなわち、この場合にはコモン電極ＣＯＭｋがエリアスタートライン、コモン電極ＣＯＭ（ｋ＋ｎ）がエリアエンドラインとなってコモン電極ＣＯＭｋからコモン電極ＣＯＭ（ｋ＋ｎ）のｎラインの範囲でパーシャル表示が行われる。
【００３５】
エリアサイズについては、上記ｎラインモード時において、入力信号Ｅｉｎが図６に示すようにｎライン毎に“Ｈ”レベルのパルス信号が１パルス出力されることを利用し、エリアエンドラインを指定する信号は必要としない。
【００３６】
次に、コモン電極の数Ｙが例えば３２の液晶表示パネルを駆動するための液晶表示駆動回路の具体例について説明する。なお、セグメント電極の数Ｘは任意（ｉ）とする。
【００３７】
パーシャル表示の機能として、液晶表示パネルの表示エリアを、図８に示すようにコモン電極ＣＯＭ１〜ＣＯＭ８、ＣＯＭ９〜ＣＯＭ１６、ＣＯＭ１７〜ＣＯＭ２４、ＣＯＭ２５〜ＣＯＭ３２のように８ライン毎に分け、またエリアサイズは８ライン、１６ライン、２４ラインの各モードで設定できるとする。
【００３８】
このような条件のパーシャル表示機能を持つコモンドライバーの具体的な回路構成を図９に示す。ここで、コモン電極ＣＯＭ１〜ＣＯＭ８はコモン電極駆動回路２１−１〜２１−８によって、コモン電極ＣＯＭ９〜ＣＯＭ１６はコモン電極駆動回路２１−９〜２１−１６によって、コモン電極ＣＯＭ１７〜ＣＯＭ２４はコモン電極駆動回路２１−１７〜２１−２４によって、コモン電極ＣＯＭ２５〜ＣＯＭ３２はコモン電極駆動回路２１−２５〜２１−３２によってそれぞれ駆動される。また、各８ラインの先頭のコモン電極ＣＯＭ１、ＣＯＭ９、ＣＯＭ１７、ＣＯＭ２５に対応したコモン電極駆動回路２１−１、２１−９、２１−１７、２１−２５は、それぞれ図４に示すように構成されている。
【００３９】
図１０は、図９に示すコモンドライバーにおいて全表示を行う場合のタイミングチャートである。この場合、表示開始制御信号ＡＲ１のみを“Ｈ”レベルにし、それ以外の表示開始制御信号は全て“Ｌ”レベルにする。ＡＲ１が“Ｈ”レベルなので、先に図４を用いて説明したように、コモン電極駆動回路２１−１で入力信号Ｅｉｎが選択され、この入力信号Ｅｉｎの“Ｈ”レベルのパルス信号が内部の信号保持回路２７（図４に図示）で保持される。また、コモン電極駆動回路２１−１で保持された信号はコモン電極駆動回路２１−２以降のコモン電極駆動回路で順次シフトされる。
【００４０】
また、コモン電極駆動回路２１−９、２１−１７、２１−２５では、表示開始制御信号ＡＲ２、ＡＲ３、ＡＲ４が全て“Ｌ”レベルなので、先に図４を用いて説明したように、前段のコモン電極駆動回路からの出力信号が選択され、各前段のコモン電極駆動回路からの出力信号の“Ｈ”レベルのパルス信号が内部の信号保持回路２７（図４に図示）で保持される。
【００４１】
従って、図９の回路は全体で３２段のシフトレジスタ回路を構成し、入力信号Ｅｉｎがこれら３２段のシフトレジスタ回路で順次シフトされることにより、３２個のコモン電極の全てが順次駆動され、全表示が行われる。
【００４２】
図１１は、図９に示すコモンドライバーにおいて、エリアスタートラインがＣＯＭ１、エリアサイズが８ラインのパーシャル表示を行う場合のタイミングチャートである。この場合、表示開始制御信号ＡＲ１のみを“Ｈ”レベルにし、それ以外の表示開始制御信号は全て“Ｌ”レベルにし、入力信号Ｅｉｎの周期は全表示の場合の１／４に設定する。
【００４３】
この場合には、図１１に示すようにコモン電極ＣＯＭ１から駆動が開始され、コモン電極ＣＯＭ８まで駆動された後は非表示状となる。
【００４４】
図１２は、図９に示すコモンドライバーにおいて、エリアスタートラインがＣＯＭ９、エリアサイズが８ラインのパーシャル表示を行う場合のタイミングチャートである。この場合、表示開始制御信号ＡＲ２のみを“Ｈ”レベルにし、それ以外の表示開始制御信号は全て“Ｌ”レベルにし、入力信号Ｅｉｎの周期は図１１の場合と同様に全表示の場合の１／４に設定する。
【００４５】
この場合には、図１２に示すようにコモン電極ＣＯＭ１〜ＣＯＭ８は非表示状となり、コモン電極ＣＯＭ９から駆動が開始され、コモン電極ＣＯＭ１６まで駆動された後は再び非表示状態となる。
【００４６】
図１３は、図９に示すコモンドライバーにおいて、エリアスタートラインがＣＯＭ９、エリアサイズが１６ラインのパーシャル表示を行う場合のタイミングチャートである。この場合、表示開始制御信号ＡＲ２のみを“Ｈ”レベルにし、それ以外の表示開始制御信号は全て“Ｌ”レベルにし、入力信号Ｅｉｎの周期は全表示の場合の１／２に設定する。
【００４７】
この場合には、図１３に示すようにコモン電極ＣＯＭ１〜ＣＯＭ８は非表示状となり、コモン電極ＣＯＭ９から駆動が開始され、コモン電極ＣＯＭ２４まで駆動された後は再び非表示状態となる。
【００４８】
このように上記実施の形態によるコモンドライバーでは、パーシャルエリアのスタートラインとエリアエンドラインの両方を変更することができ、しかもパーシャルエリアのスタートラインに該当するコモン電極駆動回路のみに制御回路を追加すればよいため、従来のようにパーシャルエリアのスタートラインとエリアエンドラインの両方に対応したコモン電極駆動回路に制御回路を追加する場合に比べて追加する回路を少なくすることができ、チップ・トータルの回路規模を従来よりも小さくすることができる。
【００４９】
【発明の効果】
以上説明したようにこの発明によれば、パーシャルエリアのスタートラインとエリアサイズが可変であっても、回路量がそれ程増加せず、従って従来よりもチップ・トータルの回路規模を小さくすることができる液晶表示駆動回路を提供することができる。
【図面の簡単な説明】
【図１】液晶表示装置のブロック図。
【図２】パーシャル表示機能に対応していない一般的なコモンドライバーの構成を示す回路図。
【図３】この発明の一実施の形態に係るコモンドライバーの構成を示す回路図。
【図４】図３中の一部のコモン電極駆動回路の詳細な構成を示す回路図。
【図５】図３のコモンドライバーにおける全表示時の動作の一例を示すタイミングチャート。
【図６】図３のコモンドライバーにおけるパーシャル表示時の動作の一例を示すタイミングチャート。
【図７】図４の回路の動作の一例を示すタイミングチャート。
【図８】液晶表示パネルの表示エリアの一例を示す図。
【図９】図９の表示エリアに対応したコモンドライバーの構成を示す図。
【図１０】図９のコモンドライバーにおいて全表示を行う場合のタイミングチャート。
【図１１】図９のコモンドライバーにおいてパーシャル表示を行う場合のタイミングチャート。
【図１２】図９のコモンドライバーにおいてパーシャル表示を行う場合のタイミングチャート。
【図１３】図９のコモンドライバーにおいてパーシャル表示を行う場合のタイミングチャート。
【符号の説明】
１１…液晶表示パネル、
１２…コモンドライバー
１３…セグメントドライバー、
２１−１〜２１−ｘ…コモン電極駆動回路、
２２…ＮＡＮＤ回路、
２３、２６…インバータ回路、
２４、２５…クロックドインバータ回路、
２７…信号保持回路。
【図１】
0003566620.tif 000002
【図２】
0003566620.tif 000003
【図３】
0003566620.tif 000004
【図４】
0003566620.tif 000005
【図５】
0003566620.tif 000006
【図６】
0003566620.tif 000007
【図７】
0003566620.tif 000008
【図８】
0003566620.tif 000009
【図９】
0003566620.tif 000010
【図１０】
0003566620.tif 000011
【図１１】
0003566620.tif 000012
【図１２】
0003566620.tif 000013
【図１３】
0003566620.tif 000014